(57)【特許請求の範囲】
【請求項１】
使用者の背中を支える背凭れ（１）と、使用者が腰を掛ける座席シート（２）と、背凭れ（１）及び座席シート（２）を支持する座台（３）とから構成され、座台（３）に対して、座席シート（２）の前後方向の中間部が左右に延びる座席シート支軸（１０）で支持されており、座台（３）に対して、座席シート（２）から背凭れ（１）の裏面にリンク連結具（６）が突設され、座席シート（２）の後端部はリンク連結具（６）に第１のリンク支軸（８）で軸支され、背凭れ（１）は背凭れ（１）と一体で左右に延びる第２のリンク支軸（５）に軸支されており、リンク連結具（６）には座台（３）に対して、リンク連結具（６）を軸支している第２のリンク支軸（５）の下方に圧縮ばね（６２）を、リンク連結具（６）に支持されているガイドケース（６１）の内側に設けており、第２のリンク支軸（５）がリンク連結具（６）に対してスライド可能に軸着されており、背凭れ（１）は下端部で座台（３）に対して、左右に延びる回転軸（４）で軸着されており、第２のリンク支軸（５）はリンク連結具（６）に設けた円弧状の長穴（６４）との係合によりスライド可能であり、かつ、背凭れ（１）の下端部が回転軸（４）を中心に回動して、調節ガイド（９１）の内側を連動する傾斜角度調節具（９）を設けて、背凭れ（１）の傾斜角度を調節可能にすることを特徴とするリクライニングシート。
【請求項２】
座台（３）に対して、リンク連結具（６）下部の、ガイドケース（６１）と圧縮ばね（６２）を支持する、ガイドケース取り付け台（７２）に、圧縮ばね（６２）の強弱を調節する、圧縮ばね調節具（７）を設けることを特徴とする請求項１記載のリクライニングシート。
【請求項３】
座台（３）に対して、リンク連結具（６）の、上下方向の中間部に設けた補強板（５３）に、ロッド（６３）を調節具（７４）で固定して、第２のリンク支軸（５）の位置を設定する、リンク支軸位置設定具（５２）を設けることを特徴とする請求項１又は２記載のリクライニングシート。
【発明の詳細な説明】
【技術分野】
【０００１】
本発明は、仕事、乗物、医療、家庭等で使用する、各種椅子のリクライニングシートに関するものである。
【背景技術】
【０００２】
特願２０１１−１８３１５１による座席は、背凭れに上半身サポーターを設け、座台に対して、座席シートの前後方向の中間部が左右に延びる座席シート支軸で軸支されており、座台に対して、座席シートの後端部には上方にリンクが突出され、リンクの先端部は、背凭れの上下方向の中央から少し下の位置に左右に延びるリンク支軸で軸着されており、リンクの基端部は座席シートの後端部に第2のリンク支軸で軸着されており、背凭れを後方に倒すと、座席シート支軸を中心に、リンクで座席シートの後端部が下がり、背凭れの下端部と座席シートの間隔を広げ、先端部が上がることにより、使用者の膝の裏側で下半身を支持し、尻を浮かせて座席する安楽座席。
【０００３】
しかしながら、背凭れに、全体重を受けても背凭れを支持できる、又、自動的に背凭れを元の位置に戻せる、リクライニングシートは、自動車等のラチェット式、電動式、油圧式、ガス式等があるが、製造コストが高くなる欠点がある。低コストの座椅子用のラチェット式はあるが、背凭れに一時的にでも全体重を受けると、荷重に耐えられない欠点があり使用できない。背凭れを後方に倒すとリンクで、座席シートの角度が一定であり、使用者は、背凭れの角度と座席シートの角度を選択できないし、一般的なリクライニングシートとしては使用できない欠点がある。
【０００４】
一般的なリクライニングシートとして使用を可能にして、背凭れを緩やかに傾斜させ、傾緩やかに戻す速度を調節可能とし、ロッキングチェアとしても使用を可能とする機能的なリクライニングシートを低コストで提供することを目的にしている。
【０００５】
1例として、本発明のリクライニングシートを前記、安楽座席に使用することで、1日中、家事、パソコン等のデスク作業の人々が「つらい」「苦しい」と感じ、集中力がきれたとき、自分の使用している椅子で、前かがみの姿勢を正して、椎間板に負担をかけないで、背筋を自重で伸ばし、脊柱起立筋を刺激（脳の働きを活発にする）、猫背予防をして、再び集中して効率よく仕事を終わらせ、休憩時間にはその椅子で昼寝もできる、機能的なリクライニングシートを働く人々に低コストで提供する。
【先行技術文献】
【特許文献】
【０００６】
【特許文献１】特開２０１１−１８３１５１
【発明の概要】
【発明が解決しようとする課題】
【０００７】
本発明は、以上のような、安楽座席の欠点を鑑み、製造コストが高くなる、低コストの座椅子用のラチェット式では、荷重に耐えられない欠点があり使用できない。一般的なリクライニングシートとしては使用できない。の解決方法は、背凭れ裏面に、リンク連結具を設け、背凭れは、背凭れと一体でリンク支軸がリンク連結具に対してスライドし、リンク支軸を圧縮ばねの弾性力により上下に変動させ、背凭れは座台に対して下端部を回転軸で軸支し、かつ、背凭れ下端部には傾斜角度調節具を設ける。次に、背凭れを後方に倒すとリンクで、座席シートの角度が一定であり、使用者は、背凭れの角度と座席シートの角度を選択できない。の解決方法は、座台に対して、リンク連結具の中間部に設けた補強板に、リンク支軸位置設定具を設ける。又、背凭れを緩やかに傾斜させ、緩やかに戻す、速度を調節可能。の解決方法は、圧縮ばねの強弱を調節する、圧縮ばね調節具を設けて、調節可能とする。機能的なリクライニングシートを低コストで提供することを目的としている。
【課題を解決するための手段】
【０００８】
上記目的を達成するため本発明は、使用者の背中を支える背凭れと、使用者が座席する座席シートと、背凭れ及び座席シートを支持する座台とから構成され、座台に対して、座席シートの前後方向の中間部が左右に延びる座席シート支軸で軸支されており、座台に対して、座席シートの上方にリンク連結具が突出され、座席シートの後端部はリンク連結具に第１のリンク支軸で軸着され、背凭れは背凭れと一体で左右に延びる第２のリンク支軸に軸着されており、第２のリンク支軸がリンク連結具に対してスライド可能に軸着されており、背凭れは下端部で座台に対して、左右に延びる回転軸で軸支されており、かつ、背凭れ下端部には回転軸を中心に、調節ガイドに沿って回動する傾斜角度調節具を設けて、背凭れの傾斜角度を調節可能にする。でリクライニングシートを構成している。
【０００９】
図１において、座台に対して、座席シートの前後方向の中間部が左右に延びる座席シート支軸で軸支されており、座台に対して、座席シートの上方にリンク連結具が突設され、座席シートの後端部はリンク連結具に第１のリンク支軸で軸着され、背凭れは背凭れと一体で左右に延びる第２のリンク支軸に軸着されており、第２のリンク支軸がリンク連結具に対してスライド可能に軸着されており、背凭れは下端部で座台に対して、左右に延びる回転軸で軸支されており、かつ、背凭れ下端部には回転軸を中心に、調節ガイドに沿って回動する傾斜角度調節具を設けて、背凭れの傾斜角度を調節可能にする。
【００１０】
リンク連結具を背凭れの裏面に設け、第２のリンク支軸を長穴と軸との係合によりスライド可能にする。
【００１１】
背凭れと一体で左右に延びる第２のリンク支軸が、リンク連結具に対してスライドし、ガイドケースに入れた圧縮ばねを、弾力性により上下に変動させる。
【００１２】
座席シートは、図１では、座台に対して、座席シートの前後方向の中間部が左右に延びる座席シート支軸で軸支されているが、座席シート支軸を設けないで、座台に座席シートを固定することもできるものである。座席シートの後端部は、リンク連結具に第１のリンク支軸で軸着されているが、リンク連結具に軸着している第１のリンク支軸を、座台に軸着させてもよい。座台に対して、座席シート下方の座台に座席シートストッパーを設ける。
【００１３】
背凭れは、下端部で座台に対して、左右に延びる回転軸で軸支されており、かつ、背凭れの下端部には回転軸を中心に、調節ガイドの内側を回動する傾斜角度調節具を設けて、背凭れの傾斜角度調節を可能にする。
【００１４】
傾斜角度調節具は、背凭れの下端部に回転軸を中心に、調節ガイドに沿って回動し、背凭れの傾斜角度を設定して、調節ガイドに設けた調節具で、傾斜角度調節具と調節ガイドと密着させて固定する。調節ガイドに沿って回動は、内側でも外側でもよい、背凭れの傾斜角度は段階的に調節できる。又、傾斜角度調節具は、図２にしめすように左右に設け、片方は調節具にレバー又は摘みを取付け、片方は調節具に摘みを取付けて、背凭を傾斜させ、背凭れを元の位置に戻す、速度を調節するブレーキの役目をさせる。調節具の固定の加減は、身体への不測の衝撃には、背凭れが傾斜して対応できるように設ける。
【００１５】
傾斜角度調節具には、角度を段階的に調節する滑り止めの凸凹部を設け、調節ガイドにも、滑り止めの凸凹部を設け、段階的に傾斜角度を調節する。又、滑り止めの凸凹部を設けないで、無段階に傾斜角度を調節することもできる。
【００１６】
座台に対して、ガイドケースの下部に、ガイドケース取付け台を設けてガイドケースと圧縮ばねを支持する。ガイドケースに入れる圧縮ばねは、圧縮してガイドケースに入れ第２のリンク支軸に接続させる。
【００１７】
座台に対して、リンク連結具下部の、ガイドケースと圧縮ばねを支持する、ガイドケース取付け台に、圧縮ばねの強弱を調節する、圧縮ばね調節具を設ける。
【００１８】
圧縮ばね調節具は、座台に対して、圧縮ばねの下部に、ばね調節プレートを設けて、ガイドケース取付台に設けた、止め具に沿って、調節具を操作して、ばね調節プレートで圧縮ばねを上下に伸縮させ、圧縮ばねの強弱を設定して調節具で固定する。
【００１９】
背凭れは、図１にしめすように、背凭れと一体で左右に延びる第２のリンク支軸に軸着されており、座台に対して、第２のリンク支軸がリンク連結具に対してスライド可能に軸着されており、背凭れを倒すと、長穴と軸との係合により背凭れと一体で第２のリンク支軸が連結具に対してスライドし、ガイドケースに入れた圧縮ばねを上下に変動させる。
【００２０】
上記、リンク連結具を背凭れの裏面に設け、第２のリンク支軸を、長穴と軸との係合により背凭れと一体でスライドし、リンク連結具にガイドケースに入れた圧縮ばねを設け、ガイドケース取付け台に、圧縮ばねの強弱を調節する圧縮ばね調節具を設ける、一連の装置を複数設けることもできる。又、リンク連結具に、ガイドケースに入れた圧縮ばねを、複数設けることもできる。
【００２１】
図１では、ロッドを介してガイドケースに入れた圧縮ばねを圧縮しているが、ロッドを介さないで、第２のリンク支軸がガイドケースに入れた圧縮ばねをガイドケースに設けた長穴に沿って圧縮ばねを直接圧縮させることもできる。
【００２２】
身体に不側の衝撃をうけても背凭れと一体で第２のリンク支軸がスライドして、ガイドケースに入れた圧縮ばねを圧縮し、圧縮ばねの弾力性により、体重の衝撃を吸収して軽減する。背凭れの傾斜角度は座台に対して、２０〜９０度とする。本発明のリクライニングシートの、それぞれの動作方式は手動式、電動式等限定はしない。
【００２３】
本発明のリクライニングシートの使用は、圧縮ばね調節具を調節具で、圧縮ばねの強弱を使用者の好みに合せて調節する。
【００２４】
使用者は図１のように、座席シートに着席し、背凭れに背中を付けた姿勢になり、傾斜角度調節具と、調節ガイドを密着して固定しているレバーで緩め、背凭れに体重をかけて、背凭れを倒すと、背凭れは下端部の回転軸を中心に傾斜角度調節具が調節ガイドに沿って回動し、背凭れが傾斜すると、リンクして、背凭れの裏面に設けたリンク連結具に背凭れと一体で軸着している、第２のリンク支軸は、リンク連結具に対してスライドし、ガイドケースに入れた圧縮ばねを圧縮して背凭れは傾斜する。
【００２５】
図３にしめすように、傾斜角度を使用者の好みの角度設定にして、レバーで傾斜角度調節具と、調節ガイドを密着させ、背凭れの傾斜角度を固定して使用する。
【００２６】
使用後は、使用者が傾斜角度調節具と、調節ガイドを密着させ固定している、レバーを緩めると、圧縮ばねにより自動的に元の背凭れの位置に緩やかに戻る。（図１参照）
【００２７】
背凭れを体重で加減して倒して、圧縮ばねを圧縮し、体重の加減で自動的に元の背凭れの位置に戻す圧縮ばねの強さは、使用者の体重や好みに合せて圧縮ばね調節具で、強弱を調節する。
【００２８】
又、リンク連結具には、座台に対して、リンク連結具の、上下方向の中間部に設けた補強板に、ロッドを調節具で固定して、第２のリンク支軸の位置を設定する、リンク支軸位置設定具を設ける。
【００２９】
リンク支軸位置設定具は、使用者が背凭れの角度と、座席シートの角度を選択できる装置で、図１にしめすように、座台に対して、リンク連結具の、上下方向の中間部に設けた補強板に、ロッドを調節具で固定して、第２のリンク支軸の位置を設定する。
【００３０】
本発明のリクライニングシートを安楽座席として使用は、リンク支軸位置設定具を調節具で、座席シートの角度を使用者の好みの使用角度に設定して固定する。傾斜角度調節具と、調節ガイドを密着して固定している調節具の、片方の摘みで使用者の、好みの速度に調節する。圧縮ばね調節具を調節具で、圧縮ばねの強弱を使用者の好みに調節する。座席シートの前後方向の長さを調節して、使用者の肢の長さに合せて調節具で固定する。
【００３１】
図１にしめすように、座席シートに着席し、背凭れに背中を付けた姿勢になり、次に図４のように、座席シート前部の膝の裏側に当る部分の角度を、ピッチギアで好みの角度に調節する。傾斜角度調節具と、調節ガイドを密着して固定のレバーを緩め、背凭れに体重をかけると、背凭れは下端部の回転軸を中心に傾斜角度調節具が調節ガイドに沿って回動し、背凭れが傾斜すると、座席シートは座席シート支軸を中心に、リンクで座席シートの後部が下がり、背凭れの下端部と座席シートの間隔を広げ、先端部が上がることにより、図５のように、使用者の膝の裏側で下半身を支持し、尻をうかせて座席した状態になる。レバーで傾斜角度調節具と調節ガイドを密着させ、背凭れの傾斜角度を固定して使用する。
【００３２】
背凭れの裏面に設けた、リンク連結具に軸着している第２のリンク支軸は、長穴と軸との係合によりスライド可能に軸着されており、ロッドを介してガイドケースに入れた圧縮ばねの弾力性により体重による衝撃を吸収する。
【００３３】
使用者は図５にしめすように、尻をうかせて、脚をあげた医学的にも腰にやさしい姿勢（ファウラー体位）となり、椎間板に負担をかけないでリラックスできる。使用者のおなかに力を入れて、自重で背筋を伸ばす姿勢で、腹筋や背筋の持久力につながる。必要に応じ、図５のように、背凭れに、両腋の下から胸周りまで支持する、腋下支持安全バンドを脱着可能に設ける。
【００３４】
リンク支軸位置設定具の調節具で、背凭れの傾斜角度と座席シートの傾斜角度を好みの角度に設定できる。図５は、座台に対して、背凭れの傾斜角度３０度、座席シートの傾斜角度４０度の使用状態である。
【００３５】
使用後は、使用者が傾斜角度調節具と、調節ガイドを密着させ固定している、レバーを緩めると、圧縮ばねにより自動的に元の背凭れの位置に緩やかに戻る。座席シート前部のピッチギアを元の位置に戻すと図１の状態に戻る。安全取っ手を、背凭れを倒すとき、元の背凭れ１の位置に戻すとき、に使用すると安全で便利に利用できる
【００３６】
背凭れの、傾斜角度の調節は、座台３に対して、２０〜９０度とする。座席シート２の傾斜角度調節は、例えば図５のように、背凭れの傾斜角度が座台に対して、３０度に設定の場合は、座席シートの傾斜角度は0度〜５０度に調節可能になる。
【００３７】
本発明のリクライニングシートをロッキングチェアとして使用は、リンク支軸位置設定具の固定を緩め、圧縮ばねをフリーにする。傾斜角度調節具と調節ガイドを密着して固定している片方の摘みで緩める。圧縮ばね調節具を調節具で、圧縮ばねの強弱を強に調節する。座席シートの前後方向の長さを調節して、使用者の肢の長さに合せて調節具で固定する。
【００３８】
図１のように、座席シートに着席し、背凭れに背中を付けた姿勢になり、傾斜角度調節具と、調節ガイドを密着して固定している片方のレバーを緩める。
【００３９】
背凭れに体重をかけて、背凭れを傾斜させると、背凭れは下端部の回転軸を中心に傾斜角度調節具が調節ガイドに沿って回動し、背凭れが傾斜すると、背凭れと一体で軸着している、第２のリンク支軸がリンク連結具に対してスライドし、ガイドケースに入れた圧縮ばねを圧縮すると、リンクして座席シートの後部が座席シート支軸を中心に下がり、座席シート前部の先端部が上がり、次に座席シート前部の先端部の、膝の裏側に当る部分に力を加えると、今度は背凭れ１が圧縮ばねの弾力性により元の背凭れの位置に戻る、この繰り返しでロッキングできる。
【００４０】
必要に応じ、座台に対して、座席シートの上部に座布団を敷き臀部を安定させる。安全取っ手を使用して、安全にロッキングを楽しむことができる。
【００４１】
使用後は、背凭れが元の背凭れの位置に戻った時点で止めると座席シートも図１の状態に戻る。                                                    
【００４２】  本発明のうち請求項１記載の発明は、使用者の背中を支える背凭れ（１）と、使用者が腰を掛ける座席シート（２）と、背凭れ（１）及び座席シート（２）を支持する座台（３）とから構成され、座台（３）に対して、座席シート（２）の前後方向の中間部が左右に延びる座席シート支軸（１０）で支持されており、座台（３）に対して、座席シート（２）から背凭れ（１）の裏面にリンク連結具（６）が突設され、座席シート（２）の後端部はリンク連結具（６）に第１のリンク支軸（８）で軸支され、背凭れ（１）は背凭れ（１）と一体で左右に延びる第２のリンク支軸（５）に軸支されており、リンク連結具（６）には座台（３）に対して、リンク連結具（６）を軸支している第２のリンク支軸（５）の下方に圧縮ばね（６２）を、リンク連結具（６）に支持されているガイドケース（６１）の内側に設けており、第２のリンク支軸（５）がリンク連結具（６）に対してスライド可能に軸着されており、背凭れ（１）は下端部で座台（３）に対して、左右に延びる回転軸（４）で軸着されており、第２のリンク支軸（５）はリンク連結具（６）に設けた円弧状の長穴（６４）との係合によりスライド可能であり、かつ、背凭れ（１）の下端部が回転軸（４）を中心に回動して、調節ガイド（９１）の内側を連動する傾斜角度調節具（９）を設けて、背凭れ（１）の傾斜角度を調節可能にすることを特徴とするリクライニングシートである。【００４５】  本発明のうち請求項２記載の発明は、座台（３）に対して、リンク連結具（６）下部の、ガイドケース（６１）と圧縮ばね（６２）を支持する、ガイドケース取り付け台（７２）に、圧縮ばね（６２）の強弱を調節する、圧縮ばね調節具（７）を設けることを特徴とする請求項１記載のリクライニングシートである。【００４６】  本発明のうち請求項３記載の発明は、座台（３）に対して、リンク連結具（６）の、上下方向の中間部に設けた補強板（５３）に、ロッド（６３）を調節具（７４）で固定して、第２のリンク支軸（５）の位置を設定する、リンク支軸位置設定具（５２）を設けることを特徴とする請求項１又は２記載のリクライニングシートである。
【発明の効果】
【００４７】
以上の説明から明らかなように、本発明にあっては次に列挙する効果が得られる。使用者の背中を支える背凭れと、使用者が座席する座席シートと、背凭れ及び座席シートを支持する座台とから構成され、座台に対して、座席シートの前後方向の中間部が左右に延びる座席シート支軸で軸支されており、座台に対して、座席シートの上方にリンク連結具が突出され、座席シートの後端部はリンク連結具に第１のリンク支軸で軸着され、背凭れは背凭れと一体で左右に延びる第２のリンク支軸に軸着されており、第２のリンク支軸がリンク連結具に対してスライド可能に軸着されており、背凭れは下端部で座台に対して、左右に延びる回転軸で軸支されており、かつ、背凭れ下端部には回転軸を中心に、調節ガイドに沿って回動する傾斜角度調節具を設けて、背凭れの傾斜角度を調節可能にする。でリクライニングシートを構成しているので、
１．各種椅子、及び飛行機、自動車、電車、船、医療等の座席で、仕事や旅行、医療等で長時間座り続けて椎間板に負担をかけている人々に、椎間板に負担をかけないで、尻を浮かせて座席する安楽座席とリクライニングシートを使い分けができる機能的なリクライニングシートを低コストで提供できる。
２．リンク連結具に、リンク支軸位置設定具を設けることで、使用者が、背凭れの角度
と座席シートの角度を、選択できるリクライニングシートを提供できる。
３．機能的なリクライニングシートを低コストで提供でき、オフィス、家庭、船、医療等の各種椅子に設けることで、各種椅子の付加価値が上がる。
４．背凭れを、緩やかに傾斜させ、自動的に元の位置に緩やかに戻る、速度を調節できる、安全で快適なリクライニングシートを提供できる。
５．圧縮ばねの上下方向の下部に、ばね調節プレートを設けてガイドケースと圧縮ばねを支持するガイドケース取付け台に、圧縮ばねの強弱を調節するばね調節具を設けた機能的なリクライニングシートを低コストで提供できる。
６．リンク連結具を背凭れの裏面に設け、背凭れと一体で第２のリンク支軸を、長穴と軸との係合によりスライドし、ガイドケースに入れた圧縮ばねを弾性力により上下に変動させることでロッキングチェアとして使用できる。
７．リンク連結具を背凭れの裏面に設けて、リンク連結具に第２のリンク支軸を軸着し、第２のリンク支軸を長穴と軸との係合によりスライド可能にし、ガイドケースに入れた圧縮ばねの弾性力により上下に変動し、背凭れで身体にかかる衝撃を軽減する機能的なリクライニングシートを低コストで提供できる。
８．背凭れの裏面にリンク連結具を設けて、リンク連結具にガイドケースに入れた圧縮ばねを取付けることで、低コストで上記の効果が得られる。
９．座席シートの前後方向の長さを調節できるので、使用者の肢の長さに合せて固定できることでスムースにリラックスできる姿勢ができる。
【００４８】
前記１）〜９）によって
１．仕事や旅行で長時間座り続けて、椎間板に負担をかけている人々に、椎間板に負担をかけない安楽座席とリクライニングシートを使い分けができる機能的なリクライニングシートを低コストで提供することで社会に貢献できる。
２．パソコン作業、携帯電話やゲーム機の操作など、うつむき姿勢での動作が多い現代人は猫背になってしまいがちです。姿勢を正して、脊柱起立筋を刺激して、おなかにも力が入り、腸腰筋や背筋の持久力を維持できて、猫背予防にもなる、日常的に身体のケアーができるリクライニングシートを提供できる。
３．日常的に使用するリクライニングシートと、身体のケアーするリクライニングシートと二役できるが、一台分の場所で保管できる。
４．尻を浮かせて座席すると、リラックスして自然に眠くなり、仮眠ができるリクライニングシートとして使用できる。
５．病院や介護での長い待ち時間、透析や点滴等自分の好みの姿勢でリラックスして、使用できるリクライニングシートを提供できる。
６．低コストのリクライニングシートを提供できることで、座椅子にも適用できる。
請求項１〜５も前記と同様な効果が得られる。
【図面の簡単な説明】
【００４９】
【図１】本発明のリクライニングシートの全体図である。
【図２】図１の背面図である。
【図３】本発明のリクライニングシートの座台に対して、背凭れ角度４５度、座席シート角度１０度の使用状態図である。
【図４】本発明のリクライニングシートの前部座席シートの膝の部分と、肢部分の角度を調節した状態図である。
【図５】本発明のリクライニングシートの座台に対して、背凭れ角度３０度、座席シート角度４０度の使用状態図である。
【図６】本発明のリクライニングシートのリンク連結具部分詳細図で、図６（a）は正面図である。図６（b）は側面図である。
【図７】本発明のリクライニングシートの傾斜角度調節具部分詳細図で、図７（a）は背面部分拡大図である。図７（b）はＡ−矢視図である。
【発明を実施するための形態】
【００５０】
本発明における、リクライニングシートの実施形態を図に基づいて説明する。
【実施例１】
【００５１】
図１において、使用者の背中を支える背凭れ１と、使用者が座席する座席シート２と、背凭れ１及び座席シート２を支持する座台３とから構成され、座台３に対して、座席シート２の前後方向の中間部が左右に延びる座席シート支軸１０で軸支されており、座台３に対して、座席シート２の上方にリンク連結具６が突設され、座席シート２の後端部はリンク連結具６に第１のリンク支軸８で軸支され、背凭れ１は背凭れ１と一体で左右に延びる第２のリンク支軸５に軸着されており、第２のリンク支軸５がリンク連結具６に対してスライド可能に軸着されており、背凭れ１は下端部で座台３に対して、左右に延びる回転軸４で軸支されており、かつ背凭れ１の下端部には回転軸４を中心に、調節ガイド９１に沿って回動する傾斜角度調節具９を設けて、背凭れ１の傾斜角度を調節可能にする。でリクライニングシートを構成している。
【００５２】
座席シート２は、図１にしめすように、前部座席シート２１と、後部座席シート２２とにより分割構成し、座席シート後部フレーム２３の内側に座席シート前部フレーム２４を差し込み、座席シート２の前後方向の長さを調節して、調節ボルト７４で固定する。座席シート前部２１にはピッチギア２５を取付け、ピッチギア２５は座席シート前部２１の、膝の裏側に当る部分の角度を調節可能にする。ピッチギア２５は向陽技研（株）製を使用した。また、座台３に対して、座席シート２下方の座台３に座席シートストッパー３１を設けた。
【００５３】
背凭れ１は、下端部で座台３に対して、左右に延びる回転軸４で軸支されており、かつ、背凭れ１の下端部には回転軸４を中心に、調節ガイド９１の内側を回動する傾斜角度調節具９を設けて、背凭れ１の傾斜角度調節を可能にする。回転軸４は丸棒を使用した。
【００５４】
傾斜角度調節具９は、背凭れ１の回転軸４を中心に、調節ガイド９１の内側を回動し、背
凭れ１の傾斜角度設定をして、調節ガイド取付具９２に設けた、ネジ部９３に調節具７４
をねじ込み、傾斜角度調節具９を調節ガイド９１と密着させて固定する。背凭れ１の傾斜
角度は無段階に調節とし、傾斜角度調節具９は円弧状の丸棒を使用した。傾斜角度調節具
９は図２にしめすように左右に設け、片方は調節具７４にレバー９５を取付け、傾斜角度
を設定して、傾斜角度調節具９と調節ガイド９１を密着させて固定する。片方は調節具９
４に摘み９５を取付けて、背凭れ１を傾斜させ、背凭れ１を元の位置に戻す、速度を調節
するブレーキの役目をさせる。傾斜角度調節具９は円弧状の丸棒を使用した。調節具７４
はボルトを使用した。図７（a）は背面部分拡大図である。図７（b）はＡ−矢視図である。
【００５５】
前記レバー９５を取付け、傾斜角度を調節して、調節具７４をねじ込み固定する、調節具７４の固定のねじ込み加減は、身体への不測の衝撃には、背凭れ１が傾斜して対応できるように設ける。
【００５６】
リンク連結具６は、背凭れ１の裏面に設け、第２のリンク支軸５を、長穴６４と軸との係合によりスライド可能にし、前記長穴６４は円弧状に設けた。図６（a）は正面図である。図６（b）は側面図である。
【００５７】
背凭れ１は、図１にしめすように、背凭れ１と一体で左右に延びる第２のリンク支軸５に軸着されており、座台３に対して、第２のリンク支軸５がリンク連結具６に対してスライ
ド可能に軸着されており、背凭れ１を倒すと、長穴６４と軸との係合により、背凭れ１と
一体で第２のリンク支軸５がリンク連結具６に対してスライドし、ガイドケース６１に
入れた圧縮ばね６２を、ロッド６３を介して弾性力により上下に変動させるように設ける。
【００５８】
リンク連結具６に設けた、座台３に対して、ガイドケース６１の下部に、ガイドケース取付け台７２を設けてガイドケース６１と圧縮ばね６２を支持する。圧縮ばね６２をロッド６３で圧縮してガイドケース６１に入れてリンク支軸５に接続した。
【００５９】
座台３に対して、リンク連結具６下部の、ガイドケース６１と圧縮ばね６２を支持する、ガイドケース取付け台７２に、圧縮ばね６２の強弱を調節する圧縮ばね調節具７を設ける。
【００６０】
圧縮ばね調節具７は、座台３に対して、圧縮ばね６２の下部に圧縮ばね調節プレート７１を設けて、ガイドケース取付台７２に設けた、緩み止めナット７３の凸部７３−１に沿って、調節具７４をねじ込み、圧縮ばね調節プレート７１を上下に変動させることで圧縮ばね６２を上下に伸縮させ、圧縮ばね６２の強弱を設定して、緩み止めナット７３の凹部７３−２を締め付けて固定する。（図６参照）調節具７４はボルトを使用、ガイドケース６１はパイプを使用、ロッド６３は丸棒を使用した。
【００６１】
又、リンク連結具６には、座台３に対して、リンク連結具６の、上下方向の中間部に設けた補強板５３に、ロッド６３を調節具７４で固定して、第２のリンク支軸５の位置を設定する、リンク支軸位置設定具５２を設ける。
【００６２】
リンク支軸位置設定具５２は、図１にしめすように、座台３に対して、リンク連結具６の、上下方向の中間部に設けた補強板５３に設け、ガイドケース６１とロッド６３を調節具７４で密着させて第２のリンク支軸５の位置を固定する。緩み止めナット７３の凸部７３−１を補強板５３に取付け、調節具７４を緩み止めナット７３とガイドケース６１に穴に沿ってねじ込み、第２のリンク支軸５の位置を設定し、調節具７４でロッド６３をガイドケース６１に密着させて、緩み止めナット７３の凹部７３−２を締め付けて固定する。（図６参照）調節具７４はボルトを使用した。
【００６３】
本発明のリクライニングシートの使用は、リンク支軸位置設定具５２の固定を緩め、圧縮ばね６２をフリーにする。圧縮ばね調節具７を調節具７４で、圧縮ばね６２の強弱を使用者の好みに調節する。座席シート２の前後方向の長さを調節して、使用者の肢の長さに合せて調節具７４で固定する。
【００６４】
使用者は図１のように、座席シート２に着席し、背凭れ１に背中を付けた姿勢になり、前部座席シート２１の膝の裏側に当る部分の角度をピッチギア２５で、使用者の好みの角度に調節する。傾斜角度調節具９と、調節ガイド９１を密着して固定している調節具７４の片方をレバー９４で緩め、背凭れ１に体重をかけて、背凭れ１を倒すと、背凭れ１は下端部の回転軸４を中心に傾斜角度調節具９が調節ガイド９１の内側を回動し、背凭れ１が傾斜するとリンクして、背凭れ１の裏面に設けたリンク連結具６に背凭れ１と一体で軸着している、第２のリンク支軸５は、リンク連結具６に対してスライドし、ロッド６３を介してガイドケース６１に入れた圧縮ばね６２を圧縮して背凭れ１は傾斜する。
【００６５】
図３にしめすように、傾斜角度を、傾斜角度調節具９で使用者の好みに設定してレバー９４で調節具７４をねじ込み、傾斜角度調節具９と、調節ガイド９１を密着させ、背凭れ１の傾斜角度を固定して使用する。
【００６６】
使用後は、使用者が傾斜角度調節具９と、調節ガイド９１を密着させ固定している、調節具７４をレバー９４で緩めると、圧縮ばね６２により自動的に元の背凭れ１の位置に緩やかに戻る。前部座席シート２１のピッチギア２５を元の位置に戻すと、図１の状態に戻る。
【００６７】
不側の衝撃をうけても背凭れ１で、体重の衝撃を吸収し、自動的に元の背凭れ１の位置に戻す、圧縮ばね６２の強さは、使用者の体重や好み等に合せて圧縮ばね調節具７で強弱を調節する。
【００６８】
本発明のリクライニングシートを安楽座席として使用は、リンク支軸位置設定具５２を調節具７４で、座席シート２の角度を、使用者の好みの使用角度に設定して固定する。傾斜角度調節具９と、調節ガイド９１を密着して固定している調節具７４の、片方の摘み９５で使用者の、好みの速度に調節する。圧縮ばね調節具７を調節具７４で、圧縮ばね６２の強弱を使用者の好みに調節する。座席シート２の前後方向の長さを調節して、使用者の肢の長さに合せて調節具７４で固定する。
【００６９】
図１のように、座席シート２に着席し、背凭れ１に背中を付けた姿勢になり、次に図４のように、座席シート前部２１の膝の裏側に当る部分の角度を、ピッチギア２５で好みの角度に調節する。傾斜角度調節具９と、調節ガイド９１を密着して固定している調節具７４をレバー９５で緩め、背凭れ１に体重をかけると、背凭れ１は下端部の回転軸４を中心に傾斜角度調節具９が調節ガイド９１の内側を回動し、背凭れ１が傾斜すると座席シート２は座席シート支軸１０を中心に、リンクで、座席シート２の後部が下がり、背凭れ１の下端部と座席シート２の間隔を広げ、先端部が上がることにより、図５のように、使用者の膝の裏側で下半身を支持し、尻をうかせて座席した状態になる。レバー９５で調節具７４をねじ込み、傾斜角度調節具９と、調節ガイド９１を密着させ、背凭れ１の傾斜角度を固定して使用する。
【００７０】
背凭れ１の裏面に設けた、リンク連結具６に軸着している第２のリンク支軸５は、長穴６４と軸との係合によりスライド可能に軸着されており、ロッド６３を介してガイドケース６１に入れた圧縮ばね６２の弾力性により体重による衝撃を吸収する。
【００７１】
使用者は図５のように、尻をうかせて、脚をあげた医学的にも腰にやさしい姿勢（ファウラー体位）となり、椎間板に負担をかけないでリラックスできる。使用者のおなかに力を入れて、自重で背筋を伸ばす姿勢で、腹筋や背筋の持久力につながる。必要に応じ、腋の下を支持する、腋下支持安全バンド１８を図５のように、両脇から胸周りも支持し、容易に脱着可能にして背凭れ１に設ける。
【００７２】
リンク位置設定具５２の調節具７４で、背凭れ１の傾斜角度と座席シート２の傾斜角度を好みの角度に設定できる。図５は、座台３に対して、背凭れ１の傾斜角度３０度、座席シート２の傾斜角度４０度の使用状態である。
【００７３】
使用後は、使用者が傾斜角度調節具９と、調節ガイド９１を密着させ固定している、調節具７４をレバー９５で緩めると、圧縮ばね６２により自動的に元の背凭れ１の位置に緩やかに戻る。座席シート前部２１のピッチギア２５を元の位置に戻すと図１の状態に戻る。安全取っ手３４を背凭れ１を倒すとき、元の背凭れ１の位置に戻すときに使用すると安全で便利に利用できる。
【００７４】
背凭れ１の、傾斜角度の調節は、座台３に対して、２０〜９０度とする。座席シート２の傾斜角度調節は、例えば図５のように、背凭れ１の傾斜角度が座台３に対して、３０度に設定の場合は、座席シート２の傾斜角度は0度〜５０度に調節可能になる。
【００７５】
本発明のリクライニングシートをロッキングチェアとして使用は、リンク支軸位置設定具５２の固定を緩め、圧縮ばね６２をフリーにする。傾斜角度調節具９と調節ガイド９１を密着して固定している調節具７４の、片方の摘み９５で緩める。圧縮ばね調節具７を調節具７４で、圧縮ばね６２の強弱を強に調節する。座席シート２の前後方向の長さを調節して、使用者の肢の長さに合せて調節具７４で固定する。
【００７６】
図１のように、座席シート２に着席し、背凭れ１に背中を付けた姿勢になり、傾斜角度調節具９と、調節ガイド９１を密着して固定している、片方の調節具７４をレバー９４で緩める。
【００７７】
背凭れ１に体重をかけて、背凭れ１を傾斜させると、背凭れ１は下端部の回転軸４を中心に傾斜角度調節具９が調節ガイド９１の内側を回動し、背凭れ１が傾斜すると、背凭れ１と一体で軸着している、第２のリンク支軸５がリンク連結具６に対してスライドし、ガイドケース６１に入れた圧縮ばね６２を圧縮すると、リンクして座席シート２の後部が座席シート支軸１０を中心に下がり、座席シート前部２１の先端部が上がり、次に座席シート前部２１の先端部の、膝の裏側に当る部分に力を加えると、今度は背凭れ１が圧縮ばね６２の弾力性により元の背凭れ１の位置に戻る、この繰り返しでロッキングできる。
【００７８】
必要に応じ、座台３に対して、座席シート２の上部に座布団を敷き臀部を安定させる。安全取っ手３４を使用して、安全にロッキングを楽しむことができる。
【００７９】
使用後は、背凭れ１が元の背凭れ１の位置に戻った時点で止めると座席シート１も図１の状態に戻る。                                                    
【産業上の利用可能性】
【００８０】
本発明は、リクライニングシートを製造する産業で利用される。
【符号の説明】
【００８１】
１        背凭れ                                
２        座席シート
３        座台            
４          回転軸          
５        第２のリンク支軸            
６        リンク連結具        
７        圧縮ばね調節具        
８        第１のリンク支軸
９        傾斜角度調節具
１０      座席シート支軸                
１１      背中腰パット                  
１２      枕              
１３      背凭れフレーム      
１４      背凭れ下部アングル        
１５      背凭れ補強アングル              
１６      傾斜角度調節具取付けプレート
１７      ピン  
１８      腋下支持安全バンド
２１      座席シート前部                                
２２      座席シート後部                  
２３      座席シート後部フレーム
２４      座席シート前部フレーム
２５      ピッチギア
２６      座席シート後部アングル  
３１      座席シートストッパー
３３      肘掛け    
３４      安全取っ手
５１      リンク支軸取付けプレート
５２      リンク支軸位置設定具
５３      補強板
６１      ガイドケース
６２      圧縮ばね
６３      ロッド
６４      長穴
７１      ばね調節プレート
７２      ガイドケース取付け台                  
７３      緩み止めナット
７３−１  凸部
７３−２  凹部
７４      調節具
８１      第１のリンク支軸取付けプレート
９１      調節ガイド
９２      調節ガイド取付具
９３      ナット
９４      レバー
９５      摘み
【要約】
【課題】
本発明は、機能的なリクライニングシートを低コストで提供することを目的としている。
【解決手段】
使用者の背中を支える背凭れ１と、使用者が座席する座席シート２と、背凭れ１及び座席シート２を支持する座台３とから構成され、座台３に対して、座席シート２の上方にリンク連結具６が突設され、座席シート２の後端部はリンク連結具６に第１のリンク支軸８で軸着され、背凭れ１は背凭れ１と一体で左右に延びる第２のリンク支軸５に軸着されており、第２のリンク支軸５がリンク連結具６に対してスライド可能に軸着されており、背凭れ１は下端部で座台３に対して、左右に延びる回転軸４で軸支されており、かつ、背凭れ１の下端部には回転軸４を中心に、調節ガイド９１に沿って回動する傾斜角度調節具９を設けて、背凭れ１の傾斜角度を調節可能にするリクライニングシート。
【選択図】  図１【図１】
0005578457.tif 000002
【図２】
0005578457.tif 000003
【図３】
0005578457.tif 000004
【図４】
0005578457.tif 000005
【図５】
0005578457.tif 000006
【図６】
0005578457.tif 000007
【図７】
0005578457.tif 000008